(57)【要約】【課題】生ごみの腐敗の進行や雑菌の繁殖を抑制して悪臭の発生を確実に防止することができる生ごみ収納装置を提供する。【解決手段】生ごみを収納する収納槽３に高温水を注入する高温水注入手段６を設ける。高温水注入手段６は、収納槽３内に収納された生ごみに対して滅菌可能な高温水を、所定のタイミングで注入することにより、生ごみの滅菌を行う。これにより、収納槽３内に収納された生ごみの腐敗を抑制し悪臭の発生を防止することができる。【選択図】図１
2006122537.tif 000002
【特許請求の範囲】
【請求項１】
生ごみを収納する収納槽と、該収納槽に生ごみを投入する投入口と、該投入口を開閉自在に閉塞する開閉蓋とを備える生ごみ収納装置において、
前記収納槽内に収納された生ごみに対して滅菌可能な高温水を、所定のタイミングで該収納槽内に注入する高温水注入手段を設けたことを特徴とする生ごみ収納装置。
【請求項２】
前記高温水注入手段により前記収納槽内に高温水が注入されたとき、所定時間が経過した後に該収納槽内の高温水を排水する排水手段を設けたことを特徴とする請求項１記載の生ごみ収納装置。
【請求項３】
前記高温水注入手段により前記収納槽内に高温水が注入され、前記排水手段により高温水が排水された後に、該収納槽内に収納された生ごみに対して雑菌繁殖を抑制可能な低温水を該収納槽内に注入する低温水注入手段を設けたことを特徴とする請求項２記載の生ごみ収納装置。
【請求項４】
前記収納槽内の温度を検出する温度検出手段を設け、
該温度検出手段により検出された収納槽内の温度に対応して予め定められた時間毎に前記高温水注入手段による高温水の注入を行う高温水注入制御手段を設けたことを特徴とする請求項１乃至３の何れか１項記載の生ごみ収納装置。
【請求項５】
前記収納槽内の臭気度合いを検出する臭気検出手段を設け、
該臭気検出手段により検出された収納槽内の臭気度合いが所定の度合いより大となったとき、前記高温水注入手段による高温水の注入を行う高温水注入制御手段を設けたことを特徴とする請求項１乃至３の何れか１項記載の生ごみ収納装置。
【請求項６】
前記高温水注入手段による高温水の注入を操作する操作スイッチを設けたことを特徴とする請求項１乃至５の何れか１項記載の生ごみ収納装置。
【発明の詳細な説明】
【技術分野】
【０００１】
本発明は、家庭の台所等に設置して生ごみを収納する生ごみ収納装置に関する。
【背景技術】
【０００２】
一般に、家庭から出る生ごみについては、台所等に置かれた蓋付きポリバケツ等のごみ容器にごみを収納し、ごみの回収日に所定のごみ集積場にごみ容器内の生ごみを持参するといったことが行われている。しかし、ごみ回収日までの間にごみ容器内に保管されている生ごみが腐敗し、悪臭がごみ容器から外部に漏れ出すといったことが生じていた。
【０００３】
そこで、生ごみを収納した容器の内部において電動ファン等により空気を強制的に循環させ、空気の循環経路に脱臭フィルター等の消臭手段を設けて発生した悪臭を消臭するようにしたものが知られている（例えば、特許文献１参照）。しかし、容器の内部の空気を循環させて消臭する場合には、常に空気を強制的に循環させておく必要があり、電動ファン等を駆動するための電力消費が嵩むため不経済である。しかも、空気を強制的に循環させて消臭しただけでは、容器内に収納された生ごみの腐敗の進行や雑菌の繁殖を抑制することができず、空気の循環が停止された時点で悪臭が発生するといった不都合がある。
【０００４】
また、それ以外には、容器の蓋等に、オゾンを発生させる手段を設けて、容器内の生ごみの悪臭を分解すると共に生ごみの殺菌を行うようにしたものが知られている（例えば、特許文献２参照）。しかし、容器内に収納された生ごみの腐敗の進行や雑菌の繁殖をオゾンにより抑制することができても、生ごみを比較的大量に容器に溜めた場合には、生ごみにオゾンを満遍なく行き渡らせることが困難であるため、部分的に雑菌が繁殖して確実に悪臭を防止することができない不都合があった。
【特許文献１】特開平７−３１５５０４号公報
【非特許文献１】特開平１０−１０９７０２号公報
【発明の開示】
【発明が解決しようとする課題】
【０００５】
かかる不都合を解消して、本発明は、生ごみの腐敗の進行や雑菌の繁殖を抑制して悪臭の発生を確実に防止することができる生ごみ収納装置を提供することを目的とする。
【課題を解決するための手段】
【０００６】
かかる目的を達成するために、本発明は、生ごみを収納する収納槽と、該収納槽に生ごみを投入する投入口と、該投入口を開閉自在に閉塞する開閉蓋とを備える生ごみ収納装置において、前記収納槽内に収納された生ごみに対して滅菌可能な高温水を、所定のタイミングで該収納槽内に注入する高温水注入手段を設けたことを特徴とする。
【０００７】
本発明によれば、前記高温水注入手段によって高温水が収納槽内に注入されるので、収納槽内の生ごみに高温水を満遍なく接触させることができ、しかも、前記高温水注入手段によって収納槽内に注入される高温水は、生ごみに対して滅菌可能な温度（例えば、７５℃以上）であることにより、収納槽内の生ごみを確実に滅菌して悪臭の発生を防止することができる。また、前記高温水注入手段による収納槽内への高温水の注入は常に行われるものではなく、所定のタイミングで必要に応じて注入されることにより、高温水の生成等に係る経費を抑えることができ、ランニングコストを低減することができる。
【０００８】
そして、本発明においては、前記高温水注入手段により前記収納槽内に高温水が注入されたとき、所定時間が経過した後に該収納槽内の高温水を排水する排水手段を設けたことを特徴とする。これにより、収納槽内の生ごみは排水手段により高温水が排水されるまでの間、十分に高温水に接触するので、生ごみの滅菌を一層確実に行うことができる。しかも、排水手段によって収納槽内の高温水と共に生ごみの臭気成分を排出することができるので、悪臭が収納槽内に残存することを防止することができる。
【０００９】
また、本発明においては、前記高温水注入手段により前記収納槽内に高温水が注入され、前記排水手段により高温水が排水された後に、該収納槽内に収納された生ごみに対して雑菌繁殖を抑制可能な低温水を該収納槽内に注入する低温水注入手段を設けたことを特徴とする。低温水注入手段により前記収納槽内に低温水が注入されると、高温水によって滅菌された生ごみを即座に冷却することができる。そして、前記低温水注入手段によって収納槽内に注入される低温水は、生ごみに対して雑菌繁殖を抑制可能な温度（例えば、２０℃以下）であることにより、収納槽内の生ごみの腐敗の進行や雑菌の繁殖を確実に抑えて悪臭の発生を継続的に防止することができる。
【００１０】
また、本発明の好ましい態様として、前記収納槽内の温度を検出する温度検出手段を設け、該温度検出手段により検出された収納槽内の温度に対応して予め定められた時間毎に前記高温水注入手段による高温水の注入を行う高温水注入制御手段を設けることが挙げられる。該高温水注入制御手段を設けたことにより、温度検出手段により検出された収納槽内の温度に応じて、高温水の注入を行うことができる。即ち、収納槽内の温度が雑菌の繁殖に適した温度になったときには高温水の注入を比較的短い時間間隔で行い、収納槽内の温度が雑菌の繁殖に不適な温度である場合には高温水の注入を比較的長い時間間隔で行うことができる。そしてこれにより、夏期のように収納槽内の温度が比較的高くなるときには、高温水の注入を頻繁に行って確実に滅菌することができ、冬期のように収納槽内の温度が比較的低くなるときには、高温水の注入回数を少なくしてより経済的な高温水の注入動作を行うことができる。
【００１１】
また、本発明の好ましい他の態様として、前記収納槽内の臭気度合いを検出する臭気検出手段を設け、該臭気検出手段により検出された収納槽内の臭気度合いが所定の度合いより大となったとき、前記高温水注入手段による高温水の注入を行う高温水注入制御手段を設けることが挙げられる。該高温水注入制御手段を設けたことにより、臭気検出手段により検出された収納槽内の臭気度合いに応じて、高温水の注入を行うことができる。これにより、臭気度合いが大である場合に高温水の注入を行うことができ、臭気度合いが小である場合に高温水の注入を行わないようにすることができるので、経済的な高温水の注入動作を行うことができる。
【００１２】
更にまた、本発明の好ましい他の態様として、前記高温水注入手段による高温水の注入を操作する操作スイッチを設けることが挙げられる。これによれば、必要に応じて操作スイッチを操作して高温水の注入することができる。具体的には、例えば、生ごみを収納槽に投入する際に、前記開閉蓋の開放に先立って操作スイッチを操作し、高温水を注入して滅菌及び悪臭の発生を抑えることができる。そしてこのように、必要に応じて確実に高温水の注入動作を行い、生ごみの滅菌と悪臭の防止を経済的に行うことができる。
【発明を実施するための最良の形態】
【００１３】
本発明の一実施形態を図面に基づいて説明する。図１は本実施形態の生ごみ収納装置の概略構成を示す説明的縦断面図である。図１に示すように、本実施形態の生ごみ収納装置１は、装置本体２と、該本体２内に設けられた収納槽３と、該収納槽３の上部に形成されて該収納槽３に生ごみを投入する投入口４と、該投入口４を開閉自在に閉塞する開閉蓋５とを備えている。更に、本実施形態の生ごみ収納装置１は、収納槽３の内部に高温水を注ぎ込む高温水注入手段６と、収納槽３内の高温水を排出する排水手段７と、高温水注入手段６の供給動作及び排水手段７の排水動作を制御する制御手段８とを備えている。
【００１４】
高温水注入手段６は、収納槽３内に高温水を噴射する噴射口９と、該噴射口９に高温水を供給する高温水供給管１０と、本体２の外部に延出された高温水供給管１０に接続された図示しない給湯装置とによって構成されている。また、高温水供給管１０には高温水の供給と停止を行う供給電磁弁１１が設けられている。なお、給湯装置から供給される高温水は、本実施形態においては７５℃以上に設定されている。
【００１５】
排水手段７は、収納槽３の底部に接続された排水管１２と、該排水管１２の上流側を開閉する排水電磁弁１３とによって構成されている。
【００１６】
制御手段８は、前記供給電磁弁１１を開閉させることによって収納槽３への高温水の供給を制御する高温水注入制御部１４（高温水注入制御手段）と、排水電磁弁１３を開閉させることによって収納槽３からの排水を制御する排水制御部１５とを備えている。
【００１７】
高温水注入制御部１４は、収納槽３の上部に設けられた温度検出手段１６の検出温度に応じて供給電磁弁１１を開閉させる。温度検出手段１６は収納槽３の内部の温度を検出するものであり、高温水注入制御部１４は、温度に応じて予め定められた時間間隔で供給電磁弁１１を開弁させる。即ち、本実施形態においては、温度検出手段１６により検出された収納槽内の温度が２５℃以上であるとき高温水注入制御部１４は４時間間隔毎に供給電磁弁１１を開弁させて高温水を収納槽３に注入し、収納槽内の温度が２０℃であるとき８時間毎、収納槽内の温度が１５℃であるとき１２時間毎、収納槽内の温度が１０℃であるとき２４時間毎に高温水を収納槽３に注入する。このように、生ごみにおいて雑菌が繁殖しやすい温度である場合には短い時間間隔で高温水を収納槽３に注入するので、生ごみを滅菌して腐敗を抑え悪臭の発生を防止することができる。しかも、生ごみにおいて雑菌の繁殖が遅くなる温度である場合には高温水の注入間隔をそれに合わせて長くすることができるので経済的である。また、収納槽内の温度が１０℃未満であるときにはその温度によって雑菌の繁殖が抑えられるので、高温水の注入を行わず、より経済的な使用が可能となる。
【００１８】
排水制御部１５は、収納槽３に高温水が注入されたとき、所定時間（例えば１０分）が経過した後に排水電磁弁１３を開弁して収納槽３内の高温水を排水する。これにより、収納槽３の生ごみを確実に高温水に接触させることができ、生ごみを確実に滅菌して悪臭の発生を防止することができる。なお、図示しないが、収納槽３の底部に他の温度検出手段を設けておき、所定時間（例えば１０分）が経過する前に水温が低下（例えば７０℃以下に低下）した場合には、高温水の供給を繰り返してもよい。これによって、生ごみの滅菌をより確実に行うことができる。
【００１９】
また、図１において仮想線で示すように、収納槽３に低温水を供給する低温水注入手段１７を設けてもよい。該低温水注入手段１７は、一例として、収納槽３内に低温の水（市水等）を噴射する噴射口１８と、該噴射口１８に水を供給する水供給管１９と、水の供給と停止を行う水供給電磁弁２０とによって構成することが挙げられる。そして、前記制御手段８に水供給電磁弁２０を制御する手段を設け、前記高温水注入手段６により収納槽３に高温水が注入され排水手段７により高温水が排水された後に、収納槽３内に低温の水を注入する。なお、このとき供給される水温は２０℃以下であることが好ましい。これにより、高温水によって滅菌された生ごみは低温水により即座に冷却され、生ごみの雑菌が繁殖しやすい温度となる時間を極めて短時間として雑菌の繁殖を抑制することができ、悪臭の発生を防止することができる。或いは、前記高温水注入手段６において、給湯装置を作動させずに加熱されていない水を高温水供給管１０を介して供給することもできる。これによれば、図１において仮想線示した配管を省略することができ、構成をより簡単とすることができる。
【００２０】
また、本実施形態においては、収納槽３の上部に温度検出手段１６を設けて、制御手段８の高温水注入制御部１４により収納槽３の温度に応じた高温水の注入を行うものを示したが、温度検出手段１６に替えて臭気検出手段２１を設け、制御手段８の高温水注入制御部１４により収納槽３の臭気の度合いに応じて高温水の注入を行ってもよい。即ち、臭気検出手段２１により検出された収納槽３内の臭気度合いが予め定められた所定の値（所定の度合い）より大となったとき、前記高温水注入手段６により供給電磁弁１１を開弁させて高温水を収納槽３に注入する。こうすることにより、収納槽３内に悪臭が生じた場合に生ごみを滅菌して悪臭を抑え、収納槽３内に悪臭が生じていないときには、不要な高温水の供給動作を行わず、より経済的に使用することができる。
【００２１】
また、図１に示すように、高温水注入手段６による高温水の注入を操作する操作スイッチ２２を設けてもよい。操作スイッチ２２を設けておくことによって、例えば、生ごみを追加投入する際に開閉蓋５を開放するに先立って操作スイッチ２２を操作し、収納槽３内に高温水を注入して滅菌を行う。こうすることにより、開閉蓋５の開放前に収納槽３内を消臭することができ、悪臭が外部に漏れることなく生ごみの追加投入を行うことができる。
【００２２】
更に、図１に示すように、収納槽３の底部に収納槽３内の生ごみを攪拌する攪拌手段２３を設けておいてもよい。高温水注入手段６により高温水が注入されたときに、攪拌手段２３により生ごみの攪拌を行うことで、生ごみに高温水を効率よく接触させることができ、より短時間に生ごみの滅菌を行うことができる。
【００２３】
また、高温水注入手段６の供給電磁弁１１を三方電磁弁とし、該供給電磁弁１１を介して脱臭剤や香料を投入する脱臭剤・香料投入部２４を設けてもよい。これによれば、高温水と共に収納槽３内に脱臭剤や香料を投入することができ、一層高い消臭効果を得ることができる。
【００２４】
或いはまた、図示しないが、収納槽３の上部に送風手段を設けてもよい。これによれば、高温水が注入され、排水された直後に送風手段により生ごみに送風し、生ごみの乾燥を促すことができる。このとき更に、送風手段にヒーター等を設けて生ごみに温風を当てることで、効率良く生ごみを乾燥させて腐敗や悪臭の発生を防止することができる。
【図面の簡単な説明】
【００２５】
【図１】本発明の一実施形態の生ごみ収納装置の概略構成を示す説明的縦断面図。
【符号の説明】
【００２６】
１…生ごみ収納装置、３…収納槽、４…投入口、５…開閉蓋、６…高温水注入手段、７…排水手段、１４…高温水注入制御部（高温水注入制御手段）、１６…温度検出手段、１７…低温水注入手段、２１…臭気検出手段、２２…操作スイッチ。
【図１】
2006122537.tif 000003